(57)【特許請求の範囲】
【請求項１】
液体を内部に収納するバッグ本体の上部側に接続され、前記液体の排出に用いられる排出口部材であって、
前記バッグ本体の上部に接続する排出チューブと、
一対の樹脂シートの周縁部を融着して袋状に形成され、袋状の内部に前記排出チューブが配置された保護シートとを備え、
前記保護シートは、その一方の側部に形成された融着部の全長にわたって一体に形成された把持部を有し、その把持部は、前記排出チューブに向って切り欠かれた側部切欠部によって上部把持部と下部把持部とに区分され、
前記保護シートは、その表面に外力によって破断する破断溝を有し、その破断溝は、前記側部切欠部の近傍を溝開始点とし、前記保護シートの他方の側部に形成された融着部の側端を溝終了点とするように形成され、
前記保護シートは、その表面に外力によって破断する補助溝をさらに有し、かつ、前記補助溝は、前記下部把持部の下端を溝開始点とし、前記破断溝を溝終了点とするように形成されていることを特徴とする排出口部材。
【請求項２】
前記破断溝は、前記溝終了点が前記溝開始点より上方に位置するように斜め方向に形成されていることを特徴とする請求項１に記載の排出口部材。
【請求項３】
前記破断溝は、互いに平行に形成された複数本の溝で構成されていることを特徴とする請求項１または請求項２に記載の排出口部材。
【請求項４】
前記補助溝は、互いに平行に形成された複数本の溝で構成されていることを特徴とする請求項１ないし請求項３のいずれか一項に記載の排出口部材。
【請求項５】
前記保護シートは、前記下部把持部の下端に前記側部切欠部に向って切り欠かれた下部切欠部をさらに有することを特徴とする請求項１ないし請求項３のいずれか一項に記載の排出口部材。
【請求項６】
前記保護シートは、前記下部把持部の下部と前記バッグ本体の上部とを融着して形成した接続部を有することを特徴とする請求項１ないし請求項３のいずれか一項に記載の排出口部材。
【請求項７】
請求項１ないし請求項６のいずれか一項に記載の排出口部材と、
前記排出口部材が上部側に接続され、内部に液体を収納するバッグ本体とを備えることを特徴とする医療用バッグ。
【発明の詳細な説明】
【技術分野】
【０００１】
本発明は、バッグ本体の内部に収納された血液等の液体の排出に用いられる排出口部材およびそれを備えた医療用バッグに関するものである。
【背景技術】
【０００２】
従来、血液バッグ等の医療用バッグには、バッグ本体内に収納された血液等を必要時に排出するために、バッグ本体の上部側に排出口部材が接続されている。この排出口部材は、通常は液密に封止されているが、血液等の液体を排出する際には、排出口部材の内部に備えられたバッグ本体内部と連通するチューブの先端側が露呈するように、排出口部材を開封できる構成である必要がある。そのような排出口部材として、特許文献１では、以下のような構成のものが記載されている。
【０００３】
図９（ａ）に示すように、特許文献１に記載されたプロテクター（本発明の排出口部材に相当する）３１は、医療用バッグのバッグ本体４２の上部側に取り付けられて輸血等に使用されるもので、樹脂シートを融着して袋状に形成し、その内部に輸血口３８（本発明の排出チューブに相当する）を配置したプロテクター本体３２と、プロテクター本体３２の右側部の一部に接続された把持部３３と、プロテクター本体３２の上に形成された上スリットライン３４および下スリットライン３５と、下スリットライン３５の破断開始点Ｐ側の延長線上に形成された切欠部３６とを備え、切欠部３６は把持部３３とプロテクター本体３２との接続部３７の最下端部Ｓより下位置に形成され、上スリットライン３４および下スリットライン３５は最下端部Ｓを基準として左上斜め方向に形成されている。
【０００４】
また、図９（ｂ）に示すように、血液等を排出する際、プロテクター３１の開封操作は、医療用バッグのバッグ本体４２を片手で把手し、他方の手の指で把持部３３を把持し、把持部３３を上方に引っ張ることによって行われる。この開封操作によって、プロテクター本体３２が切欠部３６から破断し、その破断が下スリットライン３５および上スリットライン３４に移行して、プロテクター本体３２の上部が破断して開口部３９が形成され、その開口部３９から輸血口３８の先端側が露呈する。そして、露呈された輸血口３８に針体（図示せず）を刺通して、輸血口３８および針体を通して、バッグ本体４２の内部に収納された血液等を排出する。
【先行技術文献】
【特許文献】
【０００５】
【特許文献１】実公平０３−１４１８６号公報
【発明の概要】
【発明が解決しようとする課題】
【０００６】
しかしながら、前記のような構成を備えた従来のプロテクター３１では、把持部３３がプロテクター本体３２の側部の一部（上部）としか接続されていないため、プロテクター３１を開封する際に切欠部３６、下スリットライン３５および上スリットライン３４に力が十分伝達されないことがある。その結果、プロテクター本体３２が破断されず、輸血口３８の露呈が妨げられるという問題がある。加えて、プロテクター３１が接続されているバッグ本体４２の上部に負荷がかかるという問題もある。そして、バッグ本体４２の上部に負荷がかかると、バッグ本体４２の上部、具体的には輸血口３８が接続された輸血口接続部４２ｂに破損等が生じて血液等の液漏れにつながる恐れがある。
【０００７】
また、破断されたプロテクター本体３２が取り除かれることなく上部に残るため、輸血口３８の露呈が不十分となり、輸血口３８への針体の刺通の際、輸血口３８に手指が触れ、細菌汚染等を生じる恐れがあるという問題もある。
【０００８】
そこで、本発明は、このような問題を解決すべく創案されたもので、その目的は、バッグ本体上部の排出チューブ接続部に負荷をかけずに容易に開封操作を行うことが可能で、排出チューブも完全に露呈し細菌汚染等が生じない排出口部材およびそれを備えた医療用バッグを提供することにある。
【課題を解決するための手段】
【０００９】
前記課題を解決するために、本発明に係る排出口部材は、液体を内部に収納するバッグ本体の上部側に接続され、前記液体の排出に用いられる排出口部材であって、前記バッグ本体の上部に接続する排出チューブと、一対の樹脂シートの周縁部を融着して袋状に形成され、袋状の内部に前記排出チューブが配置された保護シートとを備え、前記保護シートは、その一方の側部に形成された融着部の全長にわたって一体に形成された把持部を有し、その把持部は、前記排出チューブに向って切り欠かれた側部切欠部によって上部把持部と下部把持部とに区分され、前記保護シートは、その表面に外力によって破断する破断溝を有し、その破断溝は、前記側部切欠部の近傍を溝開始点とし、前記保護シートの他方の側部に形成された融着部の側端を溝終了点とするように形成され、前記保護シートが、その表面に外力によって破断する補助溝をさらに有し、かつ、前記補助溝が、前記下部把持部の下端を溝開始点とし、前記破断溝を溝終了点とするように形成されていることを特徴とする。
【００１０】
前記構成によれば、排出口部材を開封する際、排出口部材の保護シートが、融着部と全長にわたって一体に形成された把持部を有することによって、開封の際の力が保護シートの側部全体に伝達されることとなるため、破断溝に力が十分伝達され、保護シートが破断されやすくなると共に、排出チューブが接続されているバッグ本体上部にかかる負担が小さくなる。また、把持部が側部切欠部によって上部把持部と下部把持部とに区分されることによって、開封する際に誤って把持部の下部、すなわち、下部把持部のみを指で把持して排出口部材を開封することが防止される。そして、上部把持部と下部把持部の両者を指で把持して排出口部材を開封するため、保護シートが破断し易くなる。さらに、破断溝の溝終了点が融着部の側端であることによって、保護シートの破断が破断溝に沿って移行しやすくなると共に、保護シートの上部が破断によって完全に取り除かれるため、排出チューブの露呈が保護シートによって妨げられることなく完全なものとなる。また、保護シートが補助溝をさらに有することによって、排出口部材を開封する際、誤って上部把持部でなく下部把持部を指で把持して保護シートを破断しても、補助溝が破断するため、バッグ本体上部にかかる負担を小さくできる。また、補助溝の溝終了点が破断溝であることによって、補助溝の破断が破断溝に移行するため、保護シートの上部が破断によって完全に取り除かれ、排出チューブの露呈が保護シートによって妨げられることなく完全なものとなる。
【００１１】
また、本発明に係る排出口部材は、前記溝終了点が前記溝開始点より上方に位置するように前記破断溝が斜め方向に形成されていることを特徴とする。
【００１２】
前記構成によれば、破断溝が斜め方向に形成されていることによって、排出口部材を開封する際、バッグ本体上部の排出チューブ接続部にかかる負担をさらに小さくできると共に、保護シートの破断が破断溝に沿ってさらに移行し易くなる。
【００１３】
また、本発明に係る排出口部材は、前記破断溝が、互いに平行に形成された複数本の溝で構成されていることを特徴とする。
【００１４】
前記構成によれば、破断溝が複数本の溝で構成されていることによって、排出口部材を開封する際、保護シートの破断が破断溝に沿ってさらに移行し易くなる。
【００１７】
また、本発明に係る排出口部材は、前記補助溝が、互いに平行に形成された複数本の溝で構成されていることを特徴とする。
【００１８】
前記構成によれば、補助溝が複数本の溝で構成されていることによって、排出口部材を誤って下部把持部を把持して開封した際にも、保護シートの破断が補助溝に沿ってさらに移行し易くなる。
【００１９】
また、本発明に係る排出口部材は、前記保護シートが、前記下部把持部の下端に前記側部切欠部に向って切り欠かれた下部切欠部をさらに有することを特徴とする。
【００２０】
前記構成によれば、保護シートが下部切欠部をさらに有することによって、排出口部材を開封する際、誤って上部把持部でなく下部把持部を指で把持して保護シートを破断しても、下部切欠部が側部切欠部に向かって破断するため、バッグ本体上部の排出チューブ接続部にかかる負担を小さくできる。
【００２１】
また、本発明に係る排出口部材は、前記保護シートが、前記下部把持部の下部と前記バッグ本体の上部とを融着して形成した接続部をさらに有することを特徴とする。
【００２２】
前記構成によれば、保護シートが接続部をさらに有することによって、保護シートとバッグ本体上部との接続強度が増加するため、排出口部材を開封する際にバッグ本体上部に負荷がかかっても、バッグ本体上部に破損等が生じにくくなる。
【００２３】
本発明に係る医療用バッグは、前記排出口部材と、前記排出口部材が上部側に接続され、内部に液体を収納するバッグ本体とを備えることを特徴とする。
【００２４】
前記構成によれば、医療用バッグが前記した排出口部材を備えることによって、排出口部材を開封する際にバッグ本体上部の排出チューブ接続部にかかる負担を小さくできる。また、排出チューブの露呈が保護シートによって妨げられることなく完全なものとなる。
【発明の効果】
【００２５】
本発明に係る排出口部材およびそれを備えた医療用バッグによれば、バッグ本体上部の排出チューブ接続部に負荷をかけずに容易に開封操作を行うことが可能で、排出チューブも完全に露呈し細菌汚染等が生じない
【図面の簡単な説明】
【００２６】
【図１】（ａ）は本発明に係る排出口部材の構成を示す正面図、（ｂ）は（ａ）の変形例の構成を示す正面図である。
【図２】図１の排出口部材の変形例の構成を示す正面図である。
【図３】（ａ）〜（ｃ）は本発明に係る排出口部材の別の形態の構成を示す正面図である。
【図４】図３（ｃ）の排出口部材の変形例の構成を示す正面図である。
【図５】本発明に係る排出口部材の別の形態の構成を示す正面図である。
【図６】本発明に係る排出口部材の別の形態の構成を示す正面図である。
【図７】本発明に係る医療用バッグの構成を示す正面図である。
【図８】（ａ）、（ｂ）は排出口部材を用いて医療用バッグを製造する工程の一部を説明する概略図である。
【図９】（ａ）は従来の排出口部材の構成を示す正面図、（ｂ）は（ａ）の排出口部材の開封状態を示す正面図である。
【発明を実施するための形態】
【００２７】
本発明に係る排出口部材および医療用バッグの実施の形態について、図面を参照して詳細に説明する。
【００２８】
＜排出口部材（第１実施形態）＞
本発明に係る排出口部材の第１実施形態について、図面を参照して説明する。
図１（ａ）に示すように、排出口部材１は、排出チューブ２と、排出チューブ２を内部に配置した保護シート３とを備え、保護シート３は把持部５と破断溝７を有する。そして、排出チューブ２、保護シート３の各部材を構成する材料は、ポリ塩化ビニル、オレフィン系エラストマー等の熱可塑性樹脂であることが好ましい。また、各部材は、それぞれを同種材料で構成してもよいし、異種材料で構成してもよい。
なお、排出口部材１では、医療用バッグ２１のバッグ本体２２（図７参照）と接続する側を下側、その反対側を上側と定義する。また、排出口部材１の開封操作とは、保護シート３の一部を破断によって取り除いて、排出チューブ２を露呈させる操作をいう。
以下、各構成について説明する。
【００２９】
（排出チューブ）
排出チューブ２は、バッグ本体２２の内部に収納される液体を排出、または、バッグ本体２２の内部に液体を注入するためのもので、外径：３〜１５ｍｍの管体で構成される。そして、排出チューブ２は、その下側（基端側）がバッグ本体２２を構成する樹脂シート間に挟持され、かつ、融着または接着によって、バッグ本体２２の上部に、バッグ本体２２の内部と連通するように、接続される（図７参照）。
【００３０】
図１（ａ）に示すように、排出チューブ２は、その内腔を封止する封止膜２ａを有する。排出チューブ２が封止膜２ａを有することによって、排出口部材１（保護シート３）の未開封、開封にかかわらず、バッグ本体２２の内部に収納された液体の排出、および、バッグ本体２２の内部への異物、細菌等の浸入を防止できる。なお、保護シート３の破断後、封止膜２ａを針体（図示せず）で刺通することによって、バッグ本体２２の内部と連通する流路が形成される。そして、針体を通して、バッグ本体２２の内部に収納された液体が排出、または、バッグ本体２２の内部へ液体が注入される。
【００３１】
（保護シート）
保護シート３は、その内部に排出チューブ２を配置し、排出チューブ２への異物、細菌等の浸入を防止するためのもので、樹脂シート（シートの厚さは、通常、０．１〜０．５ｍｍ）で構成される。そして、保護シート３は、一対の樹脂シートを重ね、その間に排出チューブ２を挟持して、その周縁部を融着することによって袋状に形成される。すなわち、保護シート３は、融着部３ａ、融着部３ｂ、融着部３ｃおよび融着部３ｄの形成によって袋状に形成される。そして、保護シート３の袋状の内部には、排出チューブ２が配置されることとなる。
【００３２】
保護シート３は、排出口部材１の開封操作の際に指で把持される把持部５を有すると共に、外力によって破断する破断溝７を有する。そして、破断溝７の破断によって、保護シート３の上部が取り除かれ、保護シート３の内部に配置された排出チューブ２の上側（先端側）が露呈されることとなる。
【００３３】
（把持部）
把持部５は、排出口部材１の開封操作の際に指で把持されるもので、保護シート３の一方の側部に形成された融着部３ａの全長にわたって一体に形成される。このような把持部５を形成することよって、把持部５が保護シート３の側部全体と接続することとなるため、排出口部材１を開封する際に、破断溝７に力が十分伝達され、保護シート３が破断され易くなる。加えて、バッグ本体上部、具体的には、バッグ本体２２の上部に排出チューブ２が接続されるチューブ接続部２２ｂ（図７参照）にかかる負担を小さくできるため、チューブ接続部２２ｂにおける樹脂シートの破損等が生じず、液漏れ等を防止できる。また、このような把持部５は、保護シート３の融着部３ａを形成する際に、同時に融着によって形成すること、例えば、融着部３ａの融着幅を拡げて樹脂シートの融着を行うことによって形成される。
【００３４】
把持部５は、排出チューブ２に向かって切り欠かれた側部切欠部４によって上部把持部５ａと下部把持部５ｂとに区分される。そして、把持部５が側部切欠部４によって上部把持部５ａと下部把持部５ｂとに区分されることによって、排出口部材１を開封する際の把持場所が上部把持部５ａと下部把持部５ｂであることが明確となるため、誤って下部把持部５ｂのみを指で把持して排出口部材１を開封することが防止される。そして、一方の手で下部把持部５ｂを把持して排出口部材１を固定し、他方の手で上部把持部５ａを把持して引っ張ることにより排出口部材１を開封するため、保護シート３が破断し易くなる。なお、側部切欠部４の形成位置は、保護シート３の側部の１／３〜１／２の高さとなる位置が好ましい。側部切欠部４が前記の形成位置であることによって、保護シート３の破断状態、および、保護シート３の破断による排出チューブ２の露呈状態が良好となる。
【００３５】
上部把持部５ａの表面には、凸状のリブ６ａが形成されていることが好ましい。このようなリブ６ａを形成することによって、排出口部材１を開封する際に、上部把持部５ａを把持した指が滑ることが防止され、排出口部材１の開封操作が容易となる。また、リブ６ａの形状は、指の滑りが防止される形状であれば特に限定されないが、開封方向を示す矢印形状が好ましい。
【００３６】
下部把持部５ｂの表面には、凸状のリブ６ｂが形成されていることが好ましい。このようなリブ６ｂを形成することによって、排出口部材１の開封時に下部把持部５ｂを把持した指が滑ることが防止され、排出チューブ２に手指が接触することが防止されると共に、開封操作が確実になる。また、排出口部材１の開封後、保護シート３から露呈した排出チューブ２に針体（図示せず）を刺通する際に、下部把持部５ｂを把持した指が滑ることが防止され、排出チューブ２に手指が接触することが防止されると共に、刺通操作も容易となる。なお、排出チューブ２への針体の刺通は、バッグ本体２２（図７参照）の内部に収納された液体の排出、または、バッグ本体２２の内部に液体を注入する目的で行うものである。
【００３７】
リブ６ｂの形状は、指の滑りが防止される形状であれば特に限定されないが、丸型形状が好ましい。また、下部把持部５ｂに形成するリブ６ｂの形状を、上部把持部５ａの表面に形成するリブ６ａの形状と異なるものにすることによって、排出口部材１を開封する際に、誤って下部把持部５ｂのみを把持して開封操作する（引っ張る）ことが防止できる。
【００３８】
（破断溝）
破断溝７は、保護シート３の表面に形成され、排出口部材１の開封操作の際の外力によって破断する。そして、破断溝７は、側部切欠部４の近傍を溝開始点Ａとし、保護シート３の他方の側部に形成された融着部３ｂの側端を溝終了点Ｂとする。ここで、溝開始点Ａとなる側部切欠部４の近傍とは、排出口部材１を開封する際、側部切欠部４を保護シート３の破断の開始点として、通常の開封操作で側部切欠部４から破断溝７に破断が容易に移行する位置を意味する。そして、その位置は、保護シート３を構成する樹脂シートの強度に応じて適宜設定されるが、ポリ塩化ビニルシート（シート厚さ：０．４ｍｍ）の場合には、側部切欠部４と重複した位置であることが好ましい。
【００３９】
溝終了点Ｂを融着部３ｂの側端とすることによって、排出口部材１の開封操作で保護シート３の上部を取り除くことができるため、排出チューブ２を完全に露呈することができる。それによって、排出チューブ２に針体を刺通する際に、排出チューブ２に手指が触れることが防止でき、細菌汚染等が生じる恐れがなくなる。
【００４０】
破断溝７は、その深さが保護シート３を構成する樹脂シートの厚さの１／３〜３／４であることが好ましい。破断溝７の深さが樹脂シートの厚さの１／３未満であると、破断溝７の深さが浅く、保護シート３の破断が困難となり易い。また、破断溝７の深さが樹脂シートの厚さの３／４を超えると、破断溝７の深さが深すぎて、医療用バッグ２１の製造の際に保護シート３が容易に破断して、排出チューブ２が露呈して細菌汚染等が生じ易くなる。また、破断溝７は、溝開始点Ａから溝終了点Ｂまで連続して形成されたものに限定されず、所定間隔（例えば、０．５〜１ｍｍ）をおいて所定長（例えば、１〜３ｍｍ）の溝が不連続に形成されたものであってもよい（図示せず）。なお、破断溝７は、高周波ウエルダー、超音波ミシン、ヒートカッター等で形成される。
【００４１】
破断溝７は、溝終了点Ｂが溝開始点Ａより上方に位置するように斜め方向に形成されていることが好ましい。破断溝７が斜め方向に形成されていることによって、排出口部材１を開封する際、バッグ本体上部にかかる負担をさらに小さくできると共に、保護シート３の破断が破断溝７に沿ってさらに移行しやすくなる。そして、斜め方向に形成された破断溝７の傾斜角度は、通常の開封操作で保護シート３の破断が溝開始点Ａから溝終了点Ｂまで容易に移行できるように、保護シート３を構成する樹脂シートの強度に応じて適宜設定されるが、ポリ塩化ビニルシート（シート厚さ：０．４ｍｍ）の場合には、１０〜４０度であることが好ましい。
【００４２】
図１（ｂ）に示すように、破断溝７は、１本でもよいが、互いに平行に形成された複数本の溝で構成されていることが更に好ましい。破断溝７が複数本の溝で構成されていることによって、排出口部材１を開封する際、保護シート３の破断が破断溝７に沿ってさらに移行しやすくなる。破断溝７の本数は、通常の開封操作で保護シート３の破断が破断溝７に沿って移行できるように、保護シート３を構成する樹脂シートの強度に応じて適宜設定されるが、ポリ塩化ビニルシート（シート厚さ：０．４ｍｍ）の場合には、１〜９本であることが好ましい。
【００４３】
次に、前記した排出口部材１の変形例について説明する。
前記した排出口部材１は、医療用バッグの製造工程において、後記する外芯金方式（図８（ａ）参照）でバッグ本体２２の樹脂シート２２ａと接続する際に用いられる排出口部材１である。本発明に係る排出口部材は、このような外芯金方式に用いられる排出口部材１に限定されるものではなく、後記する内芯金方式（図８（ｂ）参照）でバッグ本体２２の樹脂シート２２ａと接続する際に用いられる図１（ｂ）に示す排出口部材１Ａであってもよい。
【００４４】
排出口部材１Ａは、その構成は排出口部材１（図１（ａ）参照）と同一であるが、排出チューブ２の長さにおいて排出口部材１と相違し、排出チューブ２の保護シート３の下端からの突出長さＬが、排出口部材１と比べて長く設定されている。具体的には、排出口部材１における排出チューブ２の保護シート３からの突出長さＬが０〜３ｍｍであるのに対し、排出口部材１Ａでは突出長さＬが１０〜１５ｍｍである。
【００４５】
＜排出口部材（第２実施形態）＞
次に、本発明に係る排出口部材の第２実施形態について、図面を参照して説明する。
図３（ａ）〜（ｃ）に示すように、第２実施形態の排出口部材１は、排出チューブ２と、保護シート３とを備え、保護シート３が把持部５と破断溝７とを有する第１実施形態と同様の構成に加えて、保護シート３が補助溝８をさらに有する。以下、各構成について説明する。なお、第１実施形態と同一構成については、前記したとおりであるので、説明を省略する。
【００４６】
（補助溝）
補助溝８は、保護シート３の表面に形成され、排出口部材１の開封操作の際の外力によって破断する。そして、補助溝８は、下部把持部５ｂの下端を溝開始点Ｃとし、破断溝７を溝終了点Ｄとする。このような補助溝８を保護シート３が有することによって、排出口部材１を開封する際、誤って下部把持部５ｂのみを指で把持して引っ張ることにより開封操作した際にも、補助溝８が破断するため、保護シート３を破断できると共に、開封の際にバッグ本体上部の排出チューブ接続部にかかる負担を小さくできる。
【００４７】
補助溝８において、溝開始点Ｃが下部把持部５ｂの下端であることによって、排出口部材１の通常の開封操作、すなわち、上部把持部５ａを指で把持して開封する際には、補助溝８の破断が開始し難くなる。また、下部把持部５ｂのみを指で把持して引っ張ることにより排出口部材１を開封した際には、補助溝８の溝終了点Ｄが破断溝７であることによって、補助溝８の破断が破断溝７に移行するため、保護シート３の上部が破断によって完全に取り除かれ、排出チューブ２の露呈が保護シート３によって妨げられることなく完全なものとなる。
【００４８】
補助溝８において、溝開始点Ｃの下部把持部５ｂの下端における左右方向の位置は、特に限定されないが、補助溝８の破断状態が良好となる破断溝７の溝開始点Ａの直下の位置が好ましい。また、溝終了点Ｄの破断溝７における位置は、図３（ａ）〜（ｃ）に示された位置のいずれでもよい。すなわち、図３（ａ）の溝終了点Ｄは、破断溝７の溝開始点Ａと同一位置であり、図３（ｂ）の溝終了点Ｄは、破断溝７の溝開始点Ａと溝終了点Ｂとの間の位置であり、図３（ｃ）の溝終了点Ｄは、破断溝７の溝終了点Ｂと同一位置である。なお、補助溝８における溝終了点Ｄは、補助溝８および破断溝７の破断によって排出チューブ２の露呈が完全となる図３（ｃ）に示された破断溝７の溝終了点Ｂと同一位置であることが好ましい。
【００４９】
補助溝８は、破断溝７と同等以上の破断強度を有することが好ましく、破断溝７よりも大きい破断強度を有することが更に好ましい。補助溝８がこのような破断強度を有することによって、排出口部材１の通常の開封操作、すなわち、上部把持部５ａを指で把持して開封する際には、破断溝７のみが破断し、補助溝８は破断しない。その結果、保護シート３の破断形状が不均一とならないため、開封作業性が向上する。そして、このような補助溝８は、その深さが保護シート３を構成する樹脂シートの厚さの１／３〜２／３であることが好ましい。
【００５０】
補助溝８は、破断溝７と同様に、溝開始点Ｃから溝終了点Ｄまで連続して形成されたものに限定されず、所定間隔（例えば、０．５〜１ｍｍ）をおいて所定長（例えば、１〜３ｍｍ）の溝が不連続に形成されたものであってもよい（図示せず）。なお、補助溝８は、高周波ウエルダー、超音波ミシン、ヒートカッター等で形成される。
【００５１】
図４に示すように、補助溝８は、１本でもよいが、互いに平行に形成された複数本の溝で構成されていることが更に好ましい。補助溝８が複数本の溝で構成されていることによって、保護シート３の破断が補助溝８に沿ってさらに移行しやすくなる。補助溝８の本数は、保護シート３の破断が補助溝８に沿って移行できるように、保護シート３を構成する樹脂シートの強度に応じて適宜設定されるが、ポリ塩化ビニルシート（シート厚さ：０．４ｍｍ）の場合には、１〜５本であることが好ましい。
【００５２】
＜排出口部材（第３実施形態）＞
次に、本発明に係る排出口部材の第３実施形態について、図面を参照して説明する。
図５に示すように、第３実施形態の排出口部材１は、排出チューブ２と、保護シート３とを備え、保護シート３が把持部５と破断溝７とを有する第１実施形態と同様の構成に加えて、保護シート３が下部切欠部９をさらに有する。以下、各構成について説明する。なお、第１実施形態と同一構成については、前記したとおりであるので、説明を省略する。
【００５３】
（下部切欠部）
下部切欠部９は、保護シート３の下部把持部５ｂの下端に、側部切欠部４に向って切り欠かれた切欠部である。このような下部切欠部９を保護シート３が有することによって、排出口部材１を開封する際、誤って下部把持部５ｂのみを指で把持して引っ張ることにより開封操作した際にも、下部切欠部９から破断が開始するため、保護シート３を破断できると共に、開封の際にバッグ本体上部の排出チューブ接続部にかかる負担を小さくできる。また、下部切欠部９は、溝開始点Ａ（破断溝７）の直下の位置に形成されていることが好ましい。このような位置に下部切欠部９が形成されていることによって、下部切欠部９で開始された破断が破断溝７に移行し易くなる。
【００５４】
下部切欠部９は、側部切欠部４に対して小さく形成されていることが好ましい。下部切欠部９を小さく形成することによって、排出口部材１の通常の開封操作、すなわち、上部把持部５ａを指で把持して引っ張ることにより開封操作した際には、側部切欠部４のみで破断が開始され、下部切欠部９では破断が開始されない。その結果、保護シート３の破断形状が不均一とならないため、開封作業性が向上する。
【００５５】
下部切欠部９は、図示しないが、複数の切欠部で構成されていてもよい。下部切欠部９を複数の切欠部で構成することによって、下部把持部５ｂを指で把持して排出口部材１を開封する際、下部切欠部９で破断が開始し易くなる。
【００５６】
＜排出口部材（第４実施形態）＞
次に、本発明に係る排出口部材の第４実施形態について、図面を参照して説明する。
図６に示すように、第４実施形態の排出口部材１は、排出チューブ２と、保護シート３とを備え、保護シート３が把持部５と破断溝７とを有する第１実施形態と同様の構成に加えて、保護シート３が接続部１０をさらに有する。以下、各構成について説明する。なお、第１実施形態と同一構成については、前記したとおりであるので、説明を省略する。
【００５７】
（接続部）
接続部１０は、下部把持部５ｂ（保護シート３）の下部とバッグ本体２２の上部とを融着して形成したものである。このような接続部１０を保護シート３が有することによって、下部把持部５ｂ（保護シート３）とバッグ本体上部との接続強度が増加するため、排出口部材を開封する際にバッグ本体上部に負荷がかかっても、バッグ本体上部に破損等が生じ難くなる。
【００５８】
接続部１０は、医療用バッグの製造工程において、排出口部材１の排出チューブ２とバッグ本体２２の上部とを融着によって接続する際に、下部把持部５ｂの下部とバッグ本体２２の上部とを同時に融着することによって形成する。なお、接続部１０は、排出チューブ２の融着後に、下部把持部５ｂとバッグ本体２２の上部との融着によって形成してもよい。
【００５９】
接続部１０の大きさ、すなわち、下部把持部５ｂのバッグ本体２２との融着面積は、下部把持部５ｂ（保護シート３）およびバッグ本体２２を構成する樹脂シートの強度に応じて適宜設定されるが、ポリ塩化ビニルシート（シート厚さ：０．４ｍｍ）の場合には、１００〜２５０ｍｍ２であることが好ましい。
【００６０】
図１〜図６に示すように、本発明に係る第１〜第４実施形態の排出口部材１は、保護シート３が誘導溝１２をさらに有し、その誘導溝１２の溝開始点が側部切欠部４、溝終了点が破断溝７の溝開始点Ａであることが好ましい。また、誘導溝１２は、その溝深さを破断溝７と同程度とすることによって、その破断強度を破断溝７と同程度とすることが好ましい。このような誘導溝１２を保護シート３が有することによって、排出口部材１を開封する際、側部切欠部４で開始された破断が破断溝７に移行し易くなる。なお、破断溝７の側部切欠部側の長さを延長して、すなわち、破断溝７の溝開始点Ａを側部切欠部４とすることによって、破断溝７の側部切欠部側の一部を誘導溝１２として用いてもよい。
【００６１】
＜医療用バッグ＞
本発明に係る医療用バッグは、血液バッグ、輸液バッグ、栄養剤バッグ等であって、医療用途に使用されるバッグ（容器）であれば、特に限定されない。
図７に示すように、医療用バッグ２１は、排出口部材１と、排出口部材１が上部側に接続され、内部に液体を収納するバッグ本体２２とを備える。バッグ本体２２に収納される液体としては、血液、血液成分（赤血球、バフィーコート、白血球、血小板、血漿等）、抗凝固剤、赤血球保存液、血小板保存液、輸液剤（薬液、生理食塩水等）、栄養剤等で、特にこれらに限定されるものではない。以下、各構成について説明する。
【００６２】
（バッグ本体）
バッグ本体２２は、ポリ塩化ビニル等の樹脂材料からなる可とう性を有する樹脂シートで構成され、樹脂シートを２枚重ね、周縁部を融着（例えば、熱融着、高周波融着）または接着することによりシールして袋状に成形したものである。また、樹脂材料を円筒押出成形により筒状に成形し、その両縁部を融着または接着して袋状にしたものでもよい。なお、バッグ本体２２は、内部に液体を収納できるように袋状に成形されたものであれば、特に限定されない。そして、バッグ本体２２の大きさは、その内容量（２００〜１０００ｍｌ）によって、適宜決定する。
【００６３】
バッグ本体２２の上部側には、本発明に係る排出口部材１が液密に接続されている。また、バッグ本体２２の上部側には、ポリ塩化ビニル等の樹脂材料からなる可とう性を有するチューブ２３およびコネクター２３１が液密に接続されている。この場合、排出口部材１およびコネクター２３１は、その下側（基端側）が、バッグ本体２２を構成する樹脂シート間に挟持され、かつ、バッグ本体２２の内部と連通するように融着または接着によって接続されている。また、図示しないが、チューブ２３の上側（先端側）には、例えば、針体（採血針）、または、バッグ本体２２と同様のバッグまたは異なる構成のバッグと接続されている。なお、チューブ２３の用途や接続相手、接続本数等は、特に限定されない。
【００６４】
排出口部材とバッグ本体との接続方法としては、外芯金方式または内芯金方式が用いられる。以下、外芯金方式または内芯金方式について図面を参照して説明する。なお、排出チューブ２の突出長さＬが短い排出口部材１（図１（ａ）参照）には外芯金方式が用いられ、排出チューブ２の突出長さＬが長い排出口部材１Ａには内芯金方式内が用いられる。
【００６５】
（外芯金方式）
図８（ａ）に示すように、バッグ本体２２を構成する２枚の樹脂シート２２ａ、２２ａの間に、樹脂シート２２ａ、２２ａの外側から芯金２４を用いてコネクター１１を挿入する。そして、コネクター１１が挿入された部分の樹脂シート２２ａ、２２ａを融着または接着する。次に、樹脂シート２２ａに融着または接着されたコネクター１１に排出口部材１を嵌合して、融着または接着によって排出口部材１をコネクター１１に接続することによって、バッグ本体２２の上部側に排出口部材１が接続される。
【００６６】
（内芯金方式）
図８（ｂ）に示すように、バッグ本体２２を構成する２枚の樹脂シート２２ａ、２２ａの内側に芯金２４を挿入し、その挿入された芯金２４に排出口部材１Ａを嵌合する。これによって、樹脂シート２２ａ、２２ａの所定位置に排出口部材１Ａがセットされる。次に、芯金２４を排出口部材１Ａから抜いて、樹脂シート２２ａ、２２ａと排出口部材１Ａを融着または接着することによって、バッグ本体２２の上部側に排出口部材１Ａが接続される。
【００６７】
（排出口部材）
排出口部材１は、バッグ本体２２の上部側に接続され、バッグ本体２２の内部に収納される液体を排出するためのもので、その構成については、前記したとおりである。なお、排出口部材１は、バッグ本体２２の内部からの液体の排出だけでなく、外部からバッグ本体２２の内部に液体を注入するために用いてもよい。また、バッグ本体２２の上部側に接続される排出口部材１の個数は、本発明の実施形態では図７に示すように２個であるが、２個に限定されず、１個または２個以上であってもよい。
【００６８】
＜排出口部材および医療用バッグの使用方法＞
次に、排出口部材および医療用バッグの使用方法について説明する。ここで、排出口部材および医療用バッグの各構成については、図１（ａ）、図７を参照して説明する。
【００６９】
医療用バッグ２１を机上に置いた状態もしくはスタンド等に吊り下げた状態で、バッグ本体２２に接続された排出口部材１の下部把持部５ｂを一方の手の指で把持して排出口部材１を固定し、上部把持部５ａを他方の手の指で把持して、上部把持部５ａの表面にリブ６ａによって示された矢印方向に上部把持部５ａを引っ張る。これによって、保護シート３の側部切欠部４から破断が開始し、破断溝７に沿って破断が移行して、保護シート３の一部が取り除かれ、保護シート３の内部に配置された排出チューブ２が露呈する。次に、露呈した排出チューブ２に針体を刺通し、排出チューブ２および針体を介して、バッグ本体２２の内部に収納された液体を針体に接続された輸血セットや他のバッグに排出する。
【符号の説明】
【００７０】
１      排出口部材
２      排出チューブ
３      保護シート
３      保護シート
３ａ、３ｂ、３ｃ、３ｄ  融着部
４      側部切欠部
５      把持部
５ａ    上部把持部
５ｂ    下部把持部
７      破断溝
８      補助溝
９      下部切欠部
１０    接続部
２１    医療用バッグ
２２    バッグ本体
【図１】
0005519363.tif 000002
【図２】
0005519363.tif 000003
【図３】
0005519363.tif 000004
【図４】
0005519363.tif 000005
【図５】
0005519363.tif 000006
【図６】
0005519363.tif 000007
【図７】
0005519363.tif 000008
【図８】
0005519363.tif 000009
【図９】
0005519363.tif 000010